(57)【特許請求の範囲】
【請求項１】
方法であって、
(a) ユーザー装置（ＵＥ）中、第二無線モジュールと共同設置される第一無線モジュールにより、あるタイムインスタンスで受信した無線信号を測定し、前記測定が複数のサンプリングインスタンスに基づく工程と、
(b) 前記タイムインスタンスで前記第二無線モジュールが無線信号を伝送している時、前記複数のサンプリングインスタンスからひとつ以上の干渉サンプリングインスタンスを獲得する工程と、
(c) 前記の獲得したひとつ以上の干渉サンプリングインスタンスに基づいて、装置内共存（ＩＤＣ）干渉の測定結果を決定し、前記測定結果は前記干渉サンプリングインスタンスではない残りのサンプリングインスタンスは含まない工程と、
(d) 前記測定結果が一条件を満たす場合、ＩＤＣ干渉軽減メカニズムをトリガーする工程と、
を含むことを特徴とする方法。
【請求項２】
前記第一および前記第二無線モジュール両方と通信する制御エンティティにより、前記ひとつ以上の干渉サンプリングインスタンスが獲得されることを特徴とする請求項１に記載の方法。
【請求項３】
前記条件は、基地局により配置され、前記ＵＥは、シグナリングメッセージにより、前記条件情報を受信することを特徴とする請求項１に記載の方法。
【請求項４】
前記条件は予め定められ、前記ＵＥに保存されることを特徴とする請求項１に記載の方法。
【請求項５】
さらに、
(e)前記第二無線モジュールのトラフィックおよびスケジューリング情報を獲得する工程と、
(f)前記ＩＤＣ干渉軽減メカニズムがトリガーされる場合、前記トラフィックおよびスケジューリング情報を基地局に報告する工程と、
を含むことを特徴とする請求項１に記載の方法。
【請求項６】
前記第一無線モジュールはＬＴＥ無線モジュールで、前記第二無線モジュールはＷｉＦｉまたはブルートゥース無線モジュールであることを特徴とする請求項１に記載の方法。
【請求項７】
基準信号受信電力(ＲＳＲＰ)またはチャネル品質インジケータ(ＱＣＩ)の前記測定結果が第二条件を満たす場合、前記ＵＥは、ＩＤＣ干渉軽減メカニズムをトリガーしないことを特徴とする請求項１に記載の方法。
【請求項８】
前記ＩＤＣ干渉軽減メカニズムは、前記第一無線が所望の無線信号を受信している時、前記第二無線の前記伝送を失活させる工程を含むことを特徴とする請求項１に記載の方法。
【請求項９】
前記ＩＤＣ干渉軽減メカニズムは、指示を基地局に伝送して、前記第二無線モジュールにより伝送される干渉信号の周波数位置から遠くなるように、前記第一無線モジュールのサービング周波数を変化させるように要求する工程を含むことを特徴とする請求項１に記載の方法。
【請求項１０】
前記ＩＤＣ干渉軽減メカニズムは、指示を基地局に伝送し、前記第一無線モジュールにより、多数の時間スロットが、データ送受信をスケジュールしないように保留するよう要求する工程を含むことを特徴とする請求項１に記載の方法。
【請求項１１】
前記ＩＤＣ干渉軽減メカニズムは、低ノイズ増幅器(ＬＮＡ)の操作ポイントを適合させて、飽和を回避する工程を含むことを特徴とする請求項１に記載の方法。
【請求項１２】
方法であって、
第一無線モジュールにより、無線信号測定結果に基づいて、前記無線信号測定結果が第１の条件に合致したときに、装置内共存（ＩＤＣ）干渉軽減メカニズムをトリガーする工程と、
前記第一無線モジュールと共同設置される第二無線モジュールのトラフィックおよびスケジューリング情報を獲得する工程と、
前記無線信号測定結果が第２の条件に合致したときに、前記第一無線モジュールから、前記トラフィックおよびスケジューリング情報を基地局に報告する工程と、
を含み、前記基地局は、少なくとも一部のすでに報告された前記トラフィックおよびスケジューリング情報に基づいて、前記第一無線モジュールが、特定時間分か周波数チャネルで、無線信号を送受信するようスケジュールし、これにより、ＩＤＣ干渉を軽減することを特徴とする方法。
【請求項１３】
前記第二無線モジュールはＷｉＦｉモジュールで、トラフィックおよびスケジューリング情報はＷｉＦｉビーコン伝送時間情報を含むことを特徴とする請求項１２に記載の方法。
【請求項１４】
前記第二無線モジュールはブルートゥースモジュールで、前記トラフィックおよびスケジューリング情報はブルートゥーストラフィックパターン情報を含むことを特徴とする請求項１２に記載の方法。
【請求項１５】
前記トラフィックおよびスケジューリング情報は、所定のトラフィックパターンに関するインデックスを含むことを特徴とする請求項１２に記載の方法。
【請求項１６】
無線通信装置であって、
あるタイムインスタンスにおける無線信号強度または品質を測定し、前記測定が複数のサンプリングインスタンスに基づく第一無線モジュールと、
前記第一無線モジュールと共同設置される第二無線モジュールと、
前記タイムインスタンスで前記第二無線モジュールが無線信号を伝送している時、前記複数のサンプリングインスタンスからひとつ以上の干渉サンプリングインスタンスを獲得し、前記の獲得されたひとつ以上の干渉サンプリングインスタンスに基づいて、前記第一無線モジュール装置内共存（ＩＤＣ）干渉の測定結果を決定し、前記測定結果は前記干渉サンプリングインスタンスではない残りのサンプリングインスタンスは含まず、前記測定結果が一条件を満たす場合、前記第一無線モジュールがＩＤＣ干渉軽減メカニズムをトリガーする制御エンティティと、
を含むことを特徴とする装置。
【請求項１７】
前記ＩＤＣ干渉軽減メカニズムは、ＩＤＣ干渉情報を基地局に報告する工程を含むことを特徴とする請求項１６に記載の装置。
【請求項１８】
前記条件は基地局により配置され、前記装置は、シグナリングメッセージにより、前記条件情報を受信することを特徴とする請求項１６に記載の装置。
【請求項１９】
前記条件は予め定められ、前記装置に保存されることを特徴とする請求項１６に記載の装置。
【請求項２０】
基準信号受信電力(ＲＳＲＰ)またはチャネル品質インジケータ(ＣＱＩ)の前記測定結果が第二条件を満たす場合、前記装置は前記ＩＤＣ干渉軽減メカニズムをトリガーしないことを特徴とする請求項１６に記載の装置。
【請求項２１】
前記第一無線モジュールはＬＴＥ無線モジュールで、前記第二無線モジュールはＷｉＦｉまたはブルートゥースＩＳＭバンド無線モジュールであることを特徴とする請求項１６に記載の装置。
【請求項２２】
前記ＩＤＣ干渉軽減メカニズムがトリガーされる場合、前記第一無線モジュールは、前記第二無線モジュールのトラフィックおよびスケジューリング情報を、基地局に報告することを特徴とする請求項１６に記載の装置。
【請求項２３】
前記基地局は、少なくとも一部の既に報告された前記トラフィックおよびスケジューリング情報に基づいて、前記第一無線モジュールが、特定時間分か周波数チャネルで、無線信号を送受信するようにスケジュールすることを特徴とする請求項２２に記載の装置。
【請求項２４】
前記トラフィックおよびスケジューリング情報は、所定のトラフィックパターンに関するインデックスを含むことを特徴とする請求項２２に記載の装置。
【発明の詳細な説明】
【技術分野】
【０００１】
この出願は、２０１０年８月１２日に出願された“Method to Trigger In-Device Coexistence Interference Mitigation in Mobile Cellular Systems,”と題された米国特許仮出願番号第６１/３７３１４２号と、２０１０年８月１２日に出願された“Method of In-Device Interference Mitigation for Cellular, Bluetooth, WiFi and Satellite Systems Coexistence,”と題された米国特許仮出願番号第６１/３７３１５１号と、２０１０年８月１６日に出願された“Method of In-Device Interference Mitigation for Wireless Systems,”と題された米国特許仮出願番号第６１/３７４０４６号と、２０１０年８月１６日に出願された“Method of In-Device Interference Avoidance for wireless Systems,”と題された米国特許仮出願番号第６１/３７４０５２号とから、合衆国法典第３５編第１１９条の下、優先権を主張するものであり、その内容は引用によって本願に援用される。
【０００２】
本発明は、無線ネットワーク通信に関するものであって、特に、装置内共存干渉軽減をトリガーする方法に関するものである。
【背景技術】
【０００３】
ユビキタス（Ubiquitous）ネットワークアクセスは、今日、実現されている。ネットワークインフラの角度から見ると、異なるネットワークは、異なるレベルの被覆（coverage）と接続をユーザーに提供する異なる層(たとえば、分布層（distribution layer）、セルラー層（cellular layer）、ホットスポット層（hot spot layer）、パーソナルネットワーク層（personal network layer）および固定/有線層（fixed/wired layer）に属する。特定のネットワークのサービスエリアは、どの場所ででも入手できるのではなく、また、異なるネットワークは、異なるサービスのために最適化されるので、ユーザー装置が、同じデバイスプラットフォーム上で、マルチ無線アクセスネットワークをサポートすることが望まれる。無線通信の要求が増加し続けるにつれて、無線通信装置、たとえば、携帯電話、ＰＤＡ、スマートハンドヘルド装置、ラップトップ型コンピュータ、タブレット型コンピュータ等が、ますます、多重無線送受信機（transceiver）を備えるようになった。多重無線端末(ＭＲＴ)は、同時に、ロングタームエボリューション(ＬＴＥ)またはＬＴＥ-アドバンスト(ＬＴＥ-Ａ)無線、ＷＬＡＮ(無線ＬＡＮ、たとえば、ＷｉＦｉ)アクセス無線、ブルートゥース(ＢＴ)無線および全地球的航法衛星システム(ＧＮＳＳ)無線を含む。
【０００４】
スペクトル規則のため、異なる技術が、重複するまたは隣接する無線スペクトル中で機能する。たとえば、ＬＴＥ/ＬＴＥ-Ａ ＴＤＤモードは、通常、２．３-２．４ＧＨｚで機能し、ＷｉＦｉは、通常、２．４００-２．４８３.５ＧＨｚで機能し、および、ＢＴは、通常、２．４０２-２．４８０ＧＨｚで機能する。よって、同じ実体装置上の多重無線共同設置/共存の同時操作は、重複または隣接する無線スペクトルのため、それらの間の顕著な共存干渉(たとえば、装置内干渉)を含む顕著な品質低下を生じる。物理的近接と無線電力漏れのため、第一無線送受信機のデータ伝送が、時間ドメインで、第二無線送受信機のデータ受信と重複する時、第一無線送受信機の伝送からの干渉のため、第二無線送受信機受信が干渉を受ける可能性がある。同様に、第二無線送受信機のデータ伝送は、第一無線送受信機のデータ受信を干渉する。
【０００５】
図１(従来の技術)は、ＬＴＥトランシーバと共同設置されたＷｉＦｉ／ＢＴトランシーバおよびＧＮＳＳレシーバ間の干渉を示す図である。図１の例において、ユーザー装置（ＵＥ）１０はＭＲＴで、ＭＲＴは、同一の装置プラットフォームに共同設置されたＬＴＥトランシーバ１１、ＧＮＳＳレシーバ１２およびＢＴ／ＷｉＦｉトランシーバ１３を含む。ＬＴＥトランシーバ１１は、アンテナ#1に結合されるＬＴＥベースバンドモジュールおよびＬＴＥ ＲＦモジュールを含む。ＧＮＳＳレシーバ１２は、アンテナ#2に結合されるＧＮＳＳベースバンドモジュールおよびＧＮＳＳ ＲＦモジュールを含む。ＢＴ／ＷｉＦｉトランシーバ１３は、アンテナ#3に結合されるＢＴ／ＷｉＦｉベースバンドモジュールおよびＢＴ／ＷｉＦｉ ＲＦモジュールを含む。ＬＴＥトランシーバ１１が無線信号を伝送する時、ＧＮＳＳレシーバ１２とＢＴ／ＷｉＦｉトランシーバ１３は両方とも、ＬＴＥからの共存干渉をこうむる。同様に、ＢＴ／ＷｉＦｉトランシーバ１３が無線信号を伝送する時、ＧＮＳＳレシーバ１２およびＬＴＥトランシーバ１１はどちらも、ＢＴ／ＷｉＦｉからの共存干渉をこうむる。ＵＥ１０は、どのように、異なるトランシーバにより、同時に、マルチネットワークと通信し、共存干渉を防止／減少するかが課題である。
【０００６】
図２(従来の技術)は、２個の共同設置されたＲＦトランシーバからの無線信号の信号電力を示す図である。図２の例において、トランシーバＡとトランシーバＢは、同一の装置プラットフォーム(即ち、装置内)で共同設置される。周波数ドメイン中、トランシーバＡ(たとえば、ＩＳＭ ＣＨ１中のＷｉＦｉ ＴＸ)による伝送(ＴＸ)信号は、トランシーバＢの受信(ＲＸ)信号(たとえば、バンド４０のＬＴＥ ＲＸ)に非常に接近する。トランシーバＡの不完全なＴＸフィルターとＲＦ設計に起因して生じるトランシーバＢに対する帯域外(ＯＯＢ)発射とスプリアス発射は許容できない。たとえば、フィルタリング後(たとえば、50dB抑制後)であっても、トランシーバＡのＴＸ信号電力レベルは、トランシーバＢのＲＸ信号電力レベルよりまだ高い(たとえば、フィルタリング前より60dB高い)。
【０００７】
不完全なＴＸフィルターとＲＦ設計に加え、不完全なＲＸフィルターとＲＦ設計も、許容できない装置内共存干渉も生じる。たとえば、別の装置内のトランシーバからの伝送電力が完全にはフィルターできないため、多くのＲＦコンポーネンツが飽和し、その結果、低ノイズ増幅器(ＬＮＡ)飽和になると共に、アナログデジタルコンバータ(ＡＤＣ)が正常に操作しなくなる。ＴＸチャネルとＲＸチャネル間の周波数分離がどのくらいかにかかわらず、このような問題は確かに存在する。これは、特定レベルのＴＸ電力(たとえば、調和ＴＸ信号から)がＲＸ ＲＦ前端に結合されると共に、そのＬＮＡが飽和するからである。レシーバ設計がこのような共存干渉を考慮しない場合、ＬＮＡは、全く適応せず、共存干渉が除去されるまで(たとえば、干渉源をオフにする)、飽和状態を維持する。
【０００８】
各種装置内共存（ＩＤＣ）干渉軽減ソリューションが提案される。たとえば、ＵＥは、ネットワーク支援を要求して、周波数分割多重化(ＦＤＭ)、時分割多重化(ＴＤＭ)および／または電力管理原理により、ＩＤＣ干渉を軽減する。しかし、多くのＵＥがネットワーク支援をＩＤＣ干渉軽減に要求する場合、ネットワークリソースが大幅に消耗される。さらに、全ＵＥがＩＤＣ補助を要求する場合、ネットワーク効率が低下する。その他のソリューションで、オーバーヘッドを減少させ、ＩＤＣ干渉軽減の効率を改善することが求められる。
【発明の概要】
【発明が解決しようとする課題】
【０００９】
装置内共存（ＩＤＣ）干渉軽減のトリガー方法を提供する。
【課題を解決するための手段】
【００１０】
無線装置は、第一無線モジュールおよび共同設置された第二無線モジュールを含む。第一無線モジュールは、複数のサンプリングインスタンスに基づいて、受信した無線信号強度または品質を測定する。装置内の制御エンティティは、第二無線モジュールのＴｘ／Ｒｘアクティビティを獲得し、Ｔｘ／Ｒｘタイミング情報を第一無線モジュールに通知する。第一無線モジュールは、得られたタイミング情報に基づいて、測定結果を決定する。測定結果が設定可能条件を満たす場合、第一無線モジュールはＩＤＣ干渉軽減メカニズムをトリガーする。ＩＤＣトリガーメカニズムは、装置からの不要且つ気まぐれなＩＤＣ要求を防止して、ネットワーク効率を改善する。
【００１１】
一具体例において、第一無線モジュールはＬＴＥ／ＷｉＭＡＸ無線、第二無線モジュールはＷｉＦｉ／ＢＴ無線である。一例において、ＬＴＥ／ＷｉＭＡＸ無線が所望の無線信号を受信する時、ＩＤＣ干渉軽減メカニズムは、ＷｉＦｉ／ＢＴ無線を失活（deactivate）させる。別の例において、ＬＴＥ／ＷｉＭＡＸ無線は、ＷｉＦｉ／ＢＴ無線モジュールのＩＤＣ干渉情報とトラフィックパターン情報を基地局に報告して、ネットワーク支援共存干渉を軽減する。その後、基地局は、各種ＦＤＭまたはＴＤＭソリューションを適用して、干渉を軽減させる。ＩＤＣ干渉軽減をトリガーする条件(たとえば、スレショルド値)は基地局により配置される。基地局は、異なる状況の異なるスレショルドを配置する。さらに、異なる条件が適用されて、異なる状況下で、異なるＩＤＣ干渉軽減メカニズムをトリガーする。
【００１２】
他の実施の形態及び利点が以下の詳細な説明に述べられる。この概要は、本発明を定めるものではない。本発明は、請求項によって定められる。
【図面の簡単な説明】
【００１３】
添付の図面は、本発明の実施形態を説明しており、同様の番号は同様の構成要素を示している。
【図１】(従来の技術)ＬＴＥトランシーバと共同設置されたＷｉＦｉ／ＢＴトランシーバとＧＮＳＳレシーバ間の干渉を示す図である。
【図２】(従来の技術)同一の装置プラットフォーム中、２個の共同設置されたＲＦトランシーバからの無線信号の信号電力を示す図である。
【図３】本発明の新規態様による無線通信システムにおけるマルチ無線トランシーバを有するユーザー装置を示す図である。
【図４】２．４ＧＨｚ ＩＳＭバンド周辺のグローバルスペクトル分配の詳細を示す図である。
【図５】ＩＤＣ干渉回避のＦＤＭソリューションの一例を示す図である。
【図６】ＩＤＣ干渉回避のＴＤＭソリューションの一例を示す図である。
【図７】本発明の新規態様によるＩＤＣ干渉軽減ソリューションのトリガー方法を示す図である。
【図８】中央制御エンティティを有するＬＴＥユーザー装置のブロック図である。
【図９】ＩＤＣ干渉軽減をトリガーする一例を示す図である。
【図１０】ＩＤＣ干渉軽減をトリガーする別の例を示す図である。
【図１１】本発明の新規態様によるＩＤＣ干渉測定の例を示す図である。
【図１２】本発明の新規態様によるトラフィックおよびスケジューリング情報を報告する例を示す図である。
【図１３】ＩＤＣ干渉軽減をトリガーする方法のフローチャートである。
【図１４】ＩＤＣ干渉軽減のトラフィックおよびスケジューリング情報を報告する方法のフローチャートである。
【発明を実施するための形態】
【００１４】
本発明の実施態様について詳細に述べる。その例は添付図面に示されている。
【００１５】
図３は、本発明の新規態様による無線通信システム３０中のマルチ無線トランシーバを有するユーザー装置ＵＥ３１を示す図である。無線通信システム３０は、ユーザー装置ＵＥ３１、サービング基地局(たとえば、evolved node-B)ｅＮＢ３２、ＷｉＦｉアクセスポイントＷｉＦｉＡＰ３３、ブルートゥース装置ＢＴ３４およびグローバルポジショニングシステム衛星装置ＧＰＳ３５を含む。無線通信システム３０は、異なる無線アクセス技術により、各種ネットワークアクセスサービスをＵＳ３１に提供する。たとえば、ｅＮＢ３２は、ＯＦＤＭＡベースのセルラー無線ネットワーク(たとえば、３ＧＰＰロングタームエボリューション(ＬＴＥ)またはＬＴＥ-アドバンスト(ＬＴＥ-Ａ)システム)アクセスを提供し、ＷｉＦｉ ＡＰ３３は、無線ローカルエリアネットワーク（Wireless Local Area Network、WLAN)アクセス中、サービスエリアを提供し、ＢＴ３４は、短距離パーソナル通信ネットワークを提供し、ＧＰＳ３５は、全地球的航法衛星システム(ＧＮＳＳ)の一部となるグローバルアクセスを提供する。各種無線アクセス技術をうまく利用するため、ＵＥ１０２はマルチ無線端末(ＭＲＴ)で、同じ装置プラットフォーム(即ち、装置内)に、多重無線共存/共同設置を備えている。
【００１６】
スペクトル規則のため、異なる無線アクセス技術は、重複または隣接する無線スペクトルで機能する。図３に示されるように、ＵＥ３１とｅＮＢ３２は無線信号３６により通信し、ＵＥ３１とＷｉＦｉ ＡＰ３３は無線信号３７により通信し、ＵＥ３１とＢＴ３４は無線信号３８により通信し、ＧＰＳ３５から無線信号３９を受信する。無線信号３６は３ＧＰＰバンド４０に属し、無線信号３７はＷｉＦｉチャネルのひとつに属し、無線信号３８は７９ブルートゥースチャネルのひとつに属する。全ての無線信号の周波数は、２．３ＧＨｚ〜２．５ＧＨｚの間で、著しい装置内共存(ＩＤＣ)干渉を生じる。この問題は、２．４ＧＨｚ ＩＳＭ(工業、科学および医療)無線周波数バンドの辺りでひどくなる。一新規態様中、ＵＥ３１は、精確で効果的なＩＤＣ干渉測定結果に基づいて、ＩＤＣ干渉軽減メカニズムをトリガーする。
【００１７】
図４は、２．４ＧＨｚ ＩＳＭバンド周辺の詳細なグローバルスペクトル分配（allocation）および３ＧＰＰバンド４０中、ＷｉＦｉからＬＴＥの対応する共存干渉の影響を示す図である。図４の上座(top table)４１に示されるように、１４個のＷｉＦｉチャネルと７９個のブルートゥースチャネルが、２．４ＧＨｚ ＩＳＭバンド(たとえば、2400-2483.5MHzの範囲)を用いる。ＷｉＦｉチャネルの利用は、ＷｉＦｉ ＡＰの決定に基づき、ブルートゥースは、ＩＳＭバンドを横切る周波数ホッピングを利用する。混雑したＩＳＭバンドに加え、ＷｉＭＡＸ １Ｂまたは３ＧＰＰバンド４０は2300-2400MHzの範囲、ＷｉＭＡＸ ３Ａまたは３ＧＰＰバンド７ＵＬは2500-2570MHzの範囲で、両者は２．４ＧＨｚ ＩＳＭ無線周波数バンドに接近する。その結果、追加の干渉回避メカニズムがなく、従来のフィルタリングソリューションは、ＩＤＣ干渉の軽減には不足であり、よって、異なる無線アクセス技術は、同一の装置プラットフォームで独立して作業することができる。すでに、異なるソリューションが求められて、共存干渉を回避する。
【００１８】
図５は、無線ネットワーク５０におけるＩＤＣ干渉回避の周波数分割多重化(ＦＤＭ)ソリューションの一例を示す図である。無線ネットワーク５０は、複数のｅＮＢと複数のＵＥを含む。セルラーネットワークアクセスにとって、ＵＥは、３ＧＰＰバンド４０中の異なる周波数チャネル(たとえば、CH#1-CH#3)により、それらのサービングｅＮＢに供する（served）。ＵＥは、ＷＬＡＮアクセスに用いられる装置内ＷｉＦｉトランシーバまたはパーソナル通信ネットワークに用いられるＢＴトランシーバと一緒に配置される(図示しない)。ＵＥがＩＤＣ干渉を受ける時、ＵＥは、CH#3(たとえば、ＩＳＭバンドに近い)からCH#1(たとえば、ＩＳＭバンドから遠い)にハンドオーバすることを要求する可能性がある。しかし、多くのＵＥが同じハンドオーバ要求をすることにより、負荷不平衡（load unbalance）を生じる。このほか、多くのＵＥは、偽のＩＤＣ問題報告に基づいて、任意にハンドオーバを要求する。よって、一ＵＥは、精確なＩＤＣ干渉測定結果に基づいて、ＦＤＭソリューションをトリガーすることが提案される。
【００１９】
図６は、無線ネットワーク６０におけるＩＤＣ干渉回避の時分割多重化(ＴＤＭ)ソリューションの一例を示す図である。無線ネットワーク６０は、ｅＮＢ６１およびｅＮＢ６１により供するＵＥ６２−６４を含む。図６の例において、ＵＥ６２−６４は、リソース分配に対し、特定のＬＴＥオフ期間(たとえば、斜線陰影部分で示される)を要求して、ＩＤＣ干渉を回避する。各ＵＥ中のタイミング要求は独立しているので(たとえば、要求されたＬＴＥオフ期間は各ＵＥに対し同じ)、ｅＮＢ６１が効果的に無線リソースをスケジュールおよび分配するのが困難である。ユーザースループットは、ＴＤＭソリューションが起動されるとき、低下する。よって、ＵＥに、精確なＩＤＣ干渉測定結果に基づいて、ＴＤＭソリューションをトリガーすることを提案する。
【００２０】
図７は、本発明の新規態様による無線ネットワーク７０におけるＩＤＣ干渉軽減ソリューションのトリガー方法を示す図である。無線ネットワーク７０は、ｅＮＢ７１、ＷｉＦｉ ＡＰ７２およびＵＥ７３を含む。ＵＥ７３は、ＬＴＥ／ＷｉＭＡＸ無線モジュール(たとえば、トランシーバ)７４、ＩＳＭ ＢＴ／ＷｉＦｉ無線モジュール(たとえば、トランシーバ)７５および制御エンティティ７６を含む。一新規態様中、制御エンティティ７６は、ＢＴ／ＷｉＦｉトランシーバ７５からＩＳＭ Ｔｘ／Ｒｘアクティビティを知り(工程１)、ＩＳＭ Ｔｘ／Ｒｘタイミング情報を、ＬＴＥ／ＷｉＭＡＸトランシーバ７４に通知する(工程２)。ＩＳＭ Ｔｘ／Ｒｘタイミング情報に基づいて、ＬＴＥ／ＷｉＭＡＸ無線モジュール７４はＩＤＣ干渉を測定し(工程３)、ある条件が満たされる場合、ＩＤＣ干渉回避メカニズムをトリガーする(工程４)。このほか、ＬＴＥ／ＷｉＭＡＸ無線モジュール７４は、ＩＳＭトラフィックおよびスケジューリング情報を、ｅＮＢ７１に報告して、ＩＤＣ配置を補助する。
【００２１】
図８は、中央制御エンティティを有する無線装置８１のブロック図である。無線装置８１は、メモリ８４、中央制御エンティティ８６を有するプロセッサ８５、ＬＴＥ/ＬＴＥ-Ａトランシーバ８７、ＷｉＦｉトランシーバ８８、ブルートゥーストランシーバ８９およびバス１０５を有する。図８の例において、中央制御エンティティ８６は、実質上、プロセッサ８５中に設置された論理要素で、プロセッサ８５は、装置８１の装置応用処理にも用いられる。また、中央制御エンティティ８６は、プロセッサ中で実行される論理要素で、プロセッサは、物理的に、ＬＴＥ／ＷｉＭＡＸトランシーバ、ＷｉＦｉトランシーバまたはＢＴトランシーバに位置する。中央制御エンティティ８６は、装置８１中の各種トランシーバと接続し、バス１０５により、各種トランシーバと通信する。たとえば、ＷｉＦｉトランシーバ８８は、ＷｉＦｉ信号情報および／またはＷｉＦｉトラフィックおよびスケジューリング情報を、中央制御エンティティ８６(たとえば、点線１０１で示される)に伝送する。受信されたＷｉＦｉ情報に基づいて、中央制御エンティティ８６は、ＷｉＦｉ Ｔｘ／Ｒｘタイミング情報を、ＬＴＥ/ＬＴＥ-Ａトランシーバ８７に通知する(たとえば、点線１０２で示される)。一具体例において、ＬＴＥ無線モジュールは、受信された無線信号強度または品質を測定し、ＷｉＦｉ Ｔｘ／Ｒｘタイミング情報に基づいて、ＩＤＣ干渉の測定結果を計算する。測定結果がある条件を満たす場合、ＬＴＥ無線モジュールは、さらに、そのサービング基地局ｅＮＢ８２と通信して、各種共存干渉軽減メカニズムをトリガーする(たとえば、点線１０３で示される)。
【００２２】
多くの異なる干渉軽減メカニズムがある。別の共同設置無線モジュールが所望の無線信号を受信する時、あるメカニズムは、ＵＥ内部調整（coordination）だけが必要で、たとえば、一無線モジュールの伝送の失活である。一方、あるメカニズムはネットワーク支援を必要とし、たとえば、ＵＥは指示を基地局に伝送して、ネットワーク支援ソリューションをトリガーする。指示（indication）により、ＵＥは、そのサービング周波数が、共存ＩＳＭ干渉信号の周波数位置から遠くなるように変化するように要求する(たとえば、ＦＤＭソリューション)。指示により、ＵＥは、特定時間スロットがデータ送受信をスケジュールしないように保留するよう要求する(たとえば、ＴＤＭソリューション)。
【００２３】
図９は、セルラーシステム測定に基づくＩＳＭ無線起動または失活のトリガーの一例を示す図である。図９の例において、ＬＴＥ／ＷｉＭＡＸトランシーバとＷｉＦｉ／ＢＴトランシーバは無線装置中に共同設置される。周波数ドメイン中、ＷｉＦｉ／ＢＴトランシーバによる伝送(Ｔｘ)信号(たとえば、ＷｉＦｉ／ＢＴ ＴＸ信号９１)は、ＬＴＥ／ＷｉＭＡＸトランシーバの受信(Ｒｘ)信号(たとえば、ＬＴＥ／ＷｉＭＡＸ ＲＸ信号９２)に非常に接近する。その結果、不完全なＴＸフィルターとＲＦ設計により、ＷｉＦｉ／ＢＴトランシーバによる帯域外(ＯＯＢ)発射とスプリアス発射は、ＬＴＥ／ＷｉＭＡＸトランシーバに対し高い。しかし、ＬＴＥ／ＷｉＭＡＸ ＲＸ信号電力が、あるレベルより高い場合、最悪の場合でも(たとえば、与えられたフィルター性能下で、ＬＴＥ／ＷｉＭＡＸとＷｉＦｉ／ＢＴ間の周波数分離が短い)、ＩＤＣ干渉は無視できる。たとえば、ＬＴＥ／ＷｉＭＡＸ ＲＸ信号電力が、与えられたフィルター性能と既知の周波数分離下で発生する可能性がある最大共存干渉レベルより高ければ、無線装置は、そのＩＳＭ無線を失活させる必要は全くない。同じ概念が用いられて、ＩＳＭ無線起動をトリガーする。たとえば、ＬＴＥ／ＷｉＭＡＸ ＲＸ信号電力が前述のスレショルドより高い場合、無線装置は、自由に、そのＩＳＭ無線を起動する。
【００２４】
一般に、新規のＩＤＣトリガーメカニズムは、無線信号測定結果と対応条件(たとえば、スレショルド値)に基づいて、どのＩＤＣ干渉回避ソリューションがトリガーされる必要があるかを決定する。つまり、測定結果がある条件を満たす時だけ、ＩＤＣ干渉回避ソリューションがトリガーされる。このようなＩＤＣトリガーメカニズムは、ＵＥからの不要且つ気まぐれなＩＤＣ要求を防止して、ネットワーク効率を改善する。セルラーシステムに対する無線信号測定は、受信した信号強度(たとえば、ＬＴＥ中のＲＳＲＰまたはＷｉＭＡＸ中のＲＳＳＩ)、受信した信号品質(たとえば、ＬＴＥ中のＲＳＲＱまたはＷｉＭＡＸ中のＣＩＮＲ)、受信した干渉電力レベルまたはチャネル品質インジケータ(ＣＱＩ)を含む。トリガー条件は、本来の測定形式、たとえば、ＲＳＲＰ/ＲＳＲＱまたはＣＱＩである。トリガー条件は、さらに、本来の測定、たとえば、前述の測定結果に基づいた有効なスループット(たとえば、ＣＱＩの機能)、待ち時間またはブロック誤り率(ＢＬＥＲ)の形式で派生する。測定結果がスレショルドよりよい場合、ＬＴＥ／ＷＩＭＡＸ装置はそのＩＳＭ無線を起動する。一方、測定結果がスレショルドより悪い場合、ＬＴＥ／ＷｉＭＡＸ装置は、そのＩＳＭ無線を失活させるか、または、追加ＩＤＣ干渉軽減メカニズムを起動する必要がある。
【００２５】
ＩＤＣをトリガーする条件は必ずしも固定条件でないが、その代わりに配置可能である。たとえば、スレショルドは基地局により配置され、移動局に保存される。配置パラメータは、ＬＴＥシステム中の無線リソース制御(ＲＲＣ)シグナリング、媒体アクセス制御(ＭＡＣ)制御素子(ＣＥ)または能力交渉シグナリング（capability negotiation signaling）により搭載される。別の例において、スレショルドは前もって定められ、移動局に保存される。基地局は、異なる状況の異なるスレショルドを配置する。たとえば、基地局は、異なる装置内ＩＳＭ無線(たとえば、ＷｉＦｉまたはＢＴ)、異なるＩＳＭ操作モード(たとえば、ＷｉＦｉ ＡＰモード、ＢＴ接続セットアップ、ページング、スキャニング)およびＩＳＭ無線信号からの異なる周波数分離により、スレショルド値を決定する。さらに、異なる状況下で、異なる条件が適用されて、異なるＩＤＣ干渉軽減メカニズムを起動する。たとえば、第一条件は、ＵＥ内部配位だけをトリガーすることで、第二条件は、さらに、ＵＥのｅＮＢへの報告をトリガーして、ネットワーク支援することである。このほか、条件/スレショルドの生成は、最悪の配置シナリオ、たとえば、最悪の周波数分離(たとえば、バンド４０とＩＳＭバンド間の４０ＭＨ)または最悪のフィルター性能(たとえば、フィルターがＲＦ発射マスクを満たした)に基づく。
【００２６】
図１０は、異なるスレショルドを用いて、無線ネットワーク１００におけるＩＤＣ干渉軽減をトリガーする別の具体例を示す図である。無線ネットワーク１００は、ｅＮＢ１１１、ＷｉＦｉ ＡＰ１１２およびＵＥ１１３-ＵＥ１１５を含む。ＵＥ１１３とＵＥ１１４は、ネットワーク支援がないと、ＩＤＣ干渉を軽減できない(無共存能力と称する)が、ＵＥ１１５は、このような能力を既に実現している(共存能力と称する)。図１０の例において、各ＵＥは、ＬＴＥ無線信号のＲＳＲＰ測定のスレショルドを利用して、ｅＮＢ１１１に報告する。一般に、ＩＤＣ干渉軽減能力のため、共存能力があるＵＥ１１５に用いるスレショルドは、無共存能力のＵＥ１１３とＵＥ１１４のスレショルドより低い。各ＵＥのＲＳＲＰ測定は、ＵＥの位置によって変化する。図１０の曲線１１６に示されるように、ＵＥがサービングｅＮＢ１１１から離れる時、ＲＳＲＰは徐々に下降する。高いスレショルド#1は、無共存能力のＵＥ１１３とＵＥ１１４に適用され、低いスレショルド#2は、共存能力があるＵＥ１１５に適用される。ＵＥ１１３のＲＳＲＰ測定は、スレショルド#1より高いので、ＵＥ１１３は、ＩＤＣ干渉情報をｅＮＢ１１１に報告しない。一方、ＵＥ１１４のＲＳＲＰ測定は、スレショルド#1より低いので、ＵＥ１１４は、ＩＤＣ干渉情報をｅＮＢ１１１に報告し、共存干渉軽減メカニズムをトリガーする。ＵＥ１１５にとって、ＲＳＲＰ測定はスレショルド#1より低いが、スレショルド#2より高いので、ＵＥ１１５は、ネットワーク支援がない状況下で、あるＩＤＣ干渉を軽減することができるので、ＵＥ１１５は、ＩＤＣ干渉情報をｅＮＢ１１１に報告しない。注意すべきことは、ＲＳＲＰを用いて説明しているが、ＣＱＩ測定も図１０の例に適用可能である。
【００２７】
ＩＤＣトリガーソリューションはＩＤＣ干渉測定結果に依存するので、よって、共存干渉を効果的に検出する精確な測定結果を得ることができる。精確な測定結果をサポートする装置調整能力が必要である。ＬＴＥ／ＷｉＭＡＸの観点から、ＬＴＥ／ＷｉＭＡＸトランシーバは、まず、(たとえば、内部コントローラーにより)、別の装置内トランシーバが、限られた待ち時間内で送受信しているかを知ることが必要である。さらに特に、ＬＴＥ／ＷｉＭＡＸトランシーバが、ＬＴＥ／ＷＩＭＡＸトランシーバが、ＷｉＦｉ／ＢＴ伝送による共存干渉を測定することができる時の時間分（time duration）、ＬＴＥ／ＷｉＭＡＸが、ＷｉＦｉ／ＢＴトランシーバから、共存干渉なしで受信することができる時の時間分を知ることができる。得られた内容に基づいて、ＬＴＥ／ＷｉＭＡＸトランシーバは、共存干渉を測定し、ＬＴＥ／ＷｉＭＡＸ ＲＸにとって、どの周波数がひどく干渉されているか、干渉されていないかを推定することができる(たとえば、使用不能な周波数)。共存干渉がスレショルドより高い場合、測定結果に基づいて、ＬＴＥ／ＷｉＭＡＸトランシーバは、使用不能な周波数をｅＮＢに示して、ＩＤＣ干渉軽減をトリガーする。
【００２８】
ＬＴＥシステムにおいて、基準信号受信電力(reference signal received power、ＲＳＲＰ)および基準信号受信品質（reference signal received quality、ＲＳＲＱ)は、通常、ＵＥにより測定されて、無線信号強度、品質および干渉レベルを表示する。ＲＳＲＰは、認められた測定周波数バンド幅中でセル特定基準信号を搭載するリソース素子の電力貢献度の線的平均として定義される。しかし、測定方法実行時に、測定正確度の要求を満たすため、限りある測定周波数バンド幅と測定期間内で、精確なＲＳＲＰ測定結果を計算することを考慮しなければならない。
【００２９】
図１１は、本発明の新規態様によるＩＤＣ干渉測定の例を示す図である。図１１の上半分は、ＵＥが、通常、連続して、受信した基準信号電力レベルをサンプリングする(即ち、５個のサブフレーム毎(5ms))と共に、特定の重み（weighting）により平均することを説明する。しかし、ＵＥが、ＬＴＥ測定のためにサンプリングされる時(たとえば、バースト性ＷｉＦｉトラフィックのため)、ＷｉＦｉ／ＢＴからの干渉信号は、ＷｉＦｉ／ＢＴ無線により伝送されない。このほか、干渉信号電力レベルは時変（time  variant）である(たとえば、ＢＴ周波数ホッピングのため)。図１１の例において、ＷｉＦｉ干渉信号にとって、最初の三個のサンプリングポイントで、ＷｉＦｉ Ｔｘアクティビティがない。同様に、ＢＴ干渉信号にとって、第三と第四のサンプリングポイントで、ＢＴ Ｔｘアクティビティがなく、第一サンプリングポイントで、低ＢＴ Ｔｘ電力だけがある。ＵＥが、全部で４個のサンプリングポイントを用いると共に、ＲＳＲＰ/ＲＳＲＱ測定結果の平均を計算する場合、このようなＲＳＲＰ/ＲＳＲＱ測定結果は非常に信頼できず、また、共存干渉を効果的に検出できない。
【００３０】
図１１の下半分は、装置内ＷｉＦｉ／ＢＴ無線の伝送アクティビティに基づいたＲＳＲＰ/ＲＳＲＱ測定結果の決定の新規メカニズムを示す図である。ＬＴＥ／ＷｉＭＡＸ無線が、ＷｉＦｉ／ＢＴ Ｔｘアクティビティのタイミング情報を知る場合、ＬＴＥ／ＷｉＭＡＸ無線は、タイミング情報を用いて、ＲＳＲＰ/ＲＳＲＱ測定結果を計算することができる。図１１の例において、測定結果計算時、ＵＥは、まだ、第４の連続したサンプリングポイントで、受信した基準信号電力レベルを測定するが、続いて、特定のサンプリングポイントを飛ばす。たとえば、共同設置無線がＷｉＦｉの場合、ＲＳＲＰ測定結果計算時、ＵＥは、最初の三個のサンプリングポイントを飛ばす(それらは、ＷｉＦｉ Ｔｘ電力を含まないので)。共同設置無線がＢＴの場合、ＲＳＲＰ測定結果計算時、ＵＥは、第一、第三および第四サンプリングポイントを飛ばす(それらは、ＢＴ ＴＸ電力を含まないまたは低いので)。また、ＷｉＦｉ／ＢＴ無線が干渉信号を伝送していないときのインスタンスで、ＵＥは、ＲＳＲＰの測定さえも省略する。干渉信号がない時、測定/計算に用いるサンプリングポイントを飛ばすことにより、共存干渉を検出する測定結果はさらに信頼できるものとなる。
【００３１】
一旦、ＵＥが、測定結果(たとえば、ＲＳＲＰまたは干渉レベル)が、配置されたスレショルド値より高いか低いかを計算すると、ＵＥは、ＩＤＣ干渉軽減メカニズムをトリガーする。ＬＴＥシステムにおいて、ＤＲＸ配置とハンドオーバ工程を含む大部分のＵＥアクティビティは、ネットワークにより制御される。これにより、ＵＥは、ＩＤＣ干渉指示をそのサービングｅＮＢに報告し、応答して、ｅＮＢが、ＩＤＣ干渉軽減メカニズムをトリガーするのを助ける。たとえば、ＵＥは、ｅＮＢに、影響を受ける周波数チャネルを報告するか、または、ｅＮＢにハンドオーバ操作を指示する。一新規態様中、ＵＥは、装置内ＷｉＦｉ／ＢＴ無線の特定のＩＳＭトラフィックパターンを、そのサービングｅＮＢに伝送し、特定のＩＳＭトラフィックパターンは、ｅＮＢスケジューラをトリガーして、ＤＲＸ／ＤＴＸを配置し、時間ドメイン上の干渉を回避する。
【００３２】
図１２は、本発明の新規態様による無線ネットワーク１２０におけるトラフィックおよびスケジューリング情報の報告の例を示す図である。無線ネットワーク１２０は、基地局ｅＮＢ１２１、ＷｉＦｉ ＡＰ１２２およびＵＥ１２３を含む。ＵＥ１２３は、ＬＴＥ／ＷｉＭＡＸトランシーバ１２４、ＷｉＦｉトランシーバ１２５および制御エンティティ１２６を含む。まず、制御エンティティは、ＬＴＥ／ＷｉＭＡＸトランシーバを手助けし、ＷｉＦｉトラフィックパターンを知る(工程１)。一旦、ＵＥ１２３が、測定結果に基づいて、ＩＤＣ干渉軽減メカニズムのトリガーを決定すると、ＬＴＥ／ＷｉＭＡＸトランシーバ１２４は、ＷｉＦｉトラフィックパターンをｅＮＢ１２１に報告する(工程２)。その後、ＷｉＦｉトラフィックパターンに基づいて、ｅＮＢ１２１は、ＤＲＸ／ＤＴＸ配置をスケジューリングして、干渉を回避することができる(工程３)。図１２に示されるように、ｅＮＢ１２１は、ＬＴＥ／ＷｉＭＡＸ ＵＬ ＴｘまたはＲｘ機会をスケジューリングして、時間ドメイン中、ＷｉＦｉビーコン伝送の干渉を回避する。スケジューリングは、onDurationTimer、drx-InactivityTimer、drx-RetransmissionTimer、longDRX-Cycle、drxStartOffset値、drxShortCycleTimer、shortDRX-Cycleまたは開始時間を含む。その結果、ＷｉＦｉビーコンはＩＤＣ干渉から保護される(工程４)。
【００３３】
通常、ＷｉＦｉトラフィックにとって、トラフィックパターン情報は、ＷｉＦｉビーコンＴｘ／Ｒｘ時間情報、周期、誤差および／またはバースト性トラフィック(たとえば、100ms毎に、誤差 < 1msおよび３個のサブフレーム後開始される)の開始時間の指示を含む。ブルートゥーストラフィックにとって、トラフィックパターン情報は、操作モード(たとえば、eSCO, A2DP)、周期および必要なＴｘ／Ｒｘスロット番号を含む。指示は、予め定められたトラフィックパターンに関連するインデックスである。たとえば、index=0 はＷｉＦｉビーコンに関連し、index=1はeSCOに関連し、index=2はA2DPに関連する。このような指示は、予め定められたトラフィックパターンを有するＩＳＭ無線のサポートに適する。ｅＮＢは常にコリジョンを回避できるわけではないが、最大限の努力により、ＬＴＥトラフィックをスケジュールする。ＵＥの観点から、ＬＴＥ Ｔｘを自動的に停止して、干渉を回避する。
【００３４】
図１３は、ＩＤＣ干渉軽減のトリガーする方法のフローチャートである。工程１３１において、無線装置の第一無線モジュールは、受信した基準信号を測定する。第一無線モジュールは、第二無線モジュールと共同設置され、測定は、複数のサンプリングインスタンスに基づく。たとえば、5ms毎に連続して、測定が実行される。工程１３２において、第一無線モジュールは、ひとつ以上のサンプリングインスタンスを獲得し、それらのサンプリングインスタンス期間中、第二無線モジュールは無線信号を伝送する。工程１３３において、第一無線モジュールは、得られたサンプリングインスタンス情報を用いて、無線信号測定結果を計算する。工程１３４において、測定結果がある条件を満たす場合、装置は、ＩＤＣ干渉軽減メカニズムをトリガーする。たとえば、第一無線モジュールは、干渉情報を基地局に報告して、ネットワーク支援干渉軽減ソリューションに用いる。条件は、受信した無線信号の測定結果のスレショルド値である。異なる状況に適用される時、スレショルドが配置される。
【００３５】
図１４は、ＩＤＣ軽減のトラフィックおよびスケジューリング情報の報告方法のフローチャートである。工程１４１において、無線装置の第一無線モジュールは、無線信号測定結果に基づいて、ＩＤＣ干渉情報を基地局に報告する。工程１４２において、第一無線モジュールは、第一無線モジュールと共同設置される第二無線モジュールのトラフィックおよびスケジューリング情報を獲得する。工程１４３において、第一無線モジュールは、トラフィックおよびスケジューリング情報を基地局に報告する。報告されたトラフィックおよびスケジューリング情報に応答して、第一無線モジュールが基地局によりスケジューリングされて、特定期間または周波数チャネルで、無線信号を送受信し、よって、ＩＤＣ干渉を軽減する。
【００３６】
本発明では好ましい実施例を前述の通り開示したが、これらは決して本発明に限定するものではない。たとえば、ＬＴＥ-アドバンストまたはＷｉＭＡＸ移動通信システムにより本発明を説明しているが、同様に、本発明は、その他の移動通信システム、たとえば、時分割同期符号分割多重接続(TD-SCDMA)システムに応用することができる。したがって、さまざまな変更、適合、および、説明した実施形態の様々な特徴の組み合わせは、特許請求の範囲に記載されている本発明の範囲から逸脱することなく実施することができる。
【図１】
0005642280.tif 000002
【図２】
0005642280.tif 000003
【図３】
0005642280.tif 000004
【図４】
0005642280.tif 000005
【図５】
0005642280.tif 000006
【図６】
0005642280.tif 000007
【図７】
0005642280.tif 000008
【図８】
0005642280.tif 000009
【図９】
0005642280.tif 000010
【図１０】
0005642280.tif 000011
【図１１】
0005642280.tif 000012
【図１２】
0005642280.tif 000013
【図１３】
0005642280.tif 000014
【図１４】
0005642280.tif 000015